【手続補正書】
【提出日】平成18年3月13日(2006.3.13)
【手続補正１】
【補正対象書類名】明細書
【補正対象項目名】発明の名称
【補正方法】変更
【補正の内容】
【発明の名称】補正テーブル作成方法、補正処理装置及びインクジェットプリンタ
【手続補正２】
【補正対象書類名】明細書
【補正対象項目名】特許請求の範囲
【補正方法】変更
【補正の内容】
【特許請求の範囲】
【請求項１】
往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する補正テーブル作成方法であって、
目標となる階調特性を示す階調補正テーブルと、双方向出力方式で出力する前記インクジェットプリンタの本来の基準特性を示したテーブルであって入力レベルに対する出力レベルの対応関係を示した双方向用基準特性テーブルと、片方向出力方式で出力する前記インクジェットプリンタの本来の基準特性を示したテーブルであって入力レベルに対する出力レベルの対応関係を示した片方向用基準特性テーブルと、を前記インクジェットプリンタで用いるそれぞれの色について記録し、
テストパターンデータに基づき前記インクジェットプリンタによって双方向出力方式で出力したテストパターン画像を測定し得られた双方向測定データを入力し、前記双方向用基準特性テーブル、前記双方向測定データ及び前記階調補正テーブルに基づき、双方向出力方式で出力する前記インクジェットプリンタに対して画像データを出力するために補正を行う時に用いる双方向用補正テーブルを作成する工程と、
テストパターンデータに基づき前記インクジェットプリンタによって片方向出力方式で出力したテストパターン画像を測定し得られた片方向測定データを入力し、前記片方向用基準特性テーブル、前記片方向測定データ及び前記階調補正テーブルに基づき、片方向出力方式で出力する前記インクジェットプリンタに対して画像データを出力するために補正を行う時に用いる片方向用補正テーブルを作成する工程と、を前記インクジェットプリンタで用いるそれぞれの色について行う
ことを特徴とする補正テーブル作成方法。
【請求項２】
往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する補正テーブル作成方法であって、
目標となる階調特性を示す階調補正テーブルと、往動中のヘッドで出力する前記インクジェットプリンタの本来の基準特性を示したテーブルであって入力レベルに対する出力レベルの対応関係を示した往動用基準特性テーブルと、復動中のヘッドで出力する前記インクジェットプリンタの本来の基準特性を示したテーブルであって入力レベルに対する出力レベルの対応関係を示した復動用基準特性テーブルと、を前記インクジェットプリンタで用いるそれぞれの色について記録し、
テストパターンデータに基づき前記インクジェットプリンタによって片方向往動出力方式で出力したテストパターン画像を測定し得られた往動測定データを入力し、前記往動用基準特性テーブル、前記往動測定データ及び前記階調補正テーブルに基づき、片方向往動出力方式で出力する前記インクジェットプリンタに対して画像データを出力するために補正を行う時に用いる往動用補正テーブルを作成する工程と、
テストパターンデータに基づき前記インクジェットプリンタによって片方向復動出力方式で出力したテストパターン画像を測定し得られた復動測定データを入力し、前記復動用基準特性テーブル、前記復動測定データ及び前記階調補正テーブルに基づき、片方向復動出力方式で出力する前記インクジェットプリンタに対して画像データを出力するために補正を行う時に用いる復動用補正テーブルを作成する工程と、を前記インクジェットプリンタで用いるそれぞれの色について行う
ことを特徴とする補正テーブル作成方法。
【請求項３】
往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する補正テーブル作成方法であって、
目標となるカラー特性を示すカラー補正テーブルと、双方向出力方式で出力する前記インクジェットプリンタの本来の基準カラー特性を示したテーブルであって入力色レベルに対する出力色レベルの対応関係を示した双方向用基準カラー特性テーブルと、片方向出力方式で出力する前記インクジェットプリンタの本来の基準カラー特性を示したテーブルであって入力色レベルに対する出力色レベルの対応関係を示した片方向用基準カラー特性テーブルと、を記録し、
テストカラーパッチデータに基づき前記インクジェットプリンタによって双方向出力方式で出力したテストカラーパッチ画像を測色し得られた双方向測色データを入力し、前記双方向用基準カラー特性テーブル、前記双方向測色データ及び前記カラー補正テーブルに基づき、双方向出力方式で出力する前記インクジェットプリンタに対して画像データを出力するために補正を行う時に用いる双方向用カラー補正テーブルを作成する工程と、
テストカラーパッチデータに基づき前記インクジェットプリンタによって片方向出力方式で出力したカラーパッチ画像を測色し得られた片方向測色データを入力し、前記片方向用基準カラー特性テーブル、前記片方向測色データ及び前記カラー補正テーブルに基づき、片方向出力方式で出力する前記インクジェットプリンタに対して画像データを出力するために補正を行う時に用いる片方向用カラー補正テーブルを作成する工程と、を行う
ことを特徴とする補正テーブル作成方法。
【請求項４】
往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する補正テーブル作成方法であって、
目標となるカラー特性を示すカラー補正テーブルと、片方向往動出力方式で出力する前記インクジェットプリンタの本来の基準カラー特性を示したテーブルであって入力色レベルに対する出力色レベルの対応関係を示した往動用基準カラー特性テーブルと、片方向復動出力方式で出力する前記インクジェットプリンタの本来の基準カラー特性を示したテーブルであって入力色レベルに対する出力色レベルの対応関係を示した復動用基準カラー特性テーブルと、を記録し、
テストカラーパッチデータに基づき前記インクジェットプリンタによって片方向往動出力方式で出力したカラーパッチ画像を測色し得られた往動測色データを入力し、前記往動用基準カラー特性テーブル、前記往動測色データ及び前記カラー補正テーブルに基づき、片方向往動出力方式で出力する前記インクジェットプリンタに対して画像データを出力するために補正を行う時に用いる往動用カラー補正テーブルを作成する工程と、
テストカラーパッチデータに基づき前記インクジェットプリンタによって片方向復動出力方式で出力したカラーパッチ画像を測色し得られた復動測色データを入力し、前記復動用基準カラー特性テーブル、前記復動測色データ及び前記カラー補正テーブルに基づき、片方向復動出力方式で出力する前記インクジェットプリンタに対して画像データを出力するために補正を行う時に用いる復動用カラー補正テーブルを作成する工程と、を行う
ことを特徴とする補正テーブル作成方法。
【請求項５】
往復移動可能なヘッドによる画像出力方式として双方向出力方式又は片方向出力方式の何れかを選択して画像を出力するインクジェットプリンタに対して出力する画像データを生成するための補正処理を行う補正処理装置であって、該補正処理装置は、請求項１又は請求項３の何れかに記載の補正テーブル作成方法により作成された補正テーブルを記録し、該記録された補正テーブルに基づいて補正処理を行うことを特徴とする補正処理装置。
【請求項６】
往復移動可能なヘッドによる画像出力方式として双方向出力方式又は片方向出力方式の何れかを選択して画像を出力するインクジェットプリンタであって、該インクジェットプリンタは請求項５に記載の補正処理装置を備えることを特徴とするインクジェットプリンタ。
【請求項７】
往復移動可能なヘッドによる片方向画像出力方式として片方向往動出力方式又は片方向復動出力方式の何れかを選択して画像を出力するインクジェットプリンタに対して出力する画像データを生成するための補正処理を行う補正処理装置であって、該補正処理装置は、請求項２又は請求項４の何れかに記載の補正テーブル作成方法により作成された補正テーブルを記録し、該記録された補正テーブルに基づいて補正処理を行うことを特徴とする補正処理装置。
【請求項８】
往復移動可能なヘッドによる片方向画像出力方式として片方向往動出力方式又は片方向復動出力方式の何れかを選択して画像を出力するインクジェットプリンタであって、該インクジェットプリンタは請求項７に記載の補正処理装置を備えることを特徴とするインクジェットプリンタ。
【手続補正３】
【補正対象書類名】明細書
【補正対象項目名】０００１
【補正方法】変更
【補正の内容】
【０００１】
【発明の属する技術分野】
本発明は、記録ヘッドからインクを液滴として吐出することによって記録媒体に画像を形成するインクジェットプリンタ、その補正テーブル作成方法及びその補正処理装置に関する。
【手続補正４】
【補正対象書類名】明細書
【補正対象項目名】００１１
【補正方法】変更
【補正の内容】
【００１１】
【課題を解決するための手段】
請求項１に記載の発明は、往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する補正テーブル作成方法であって、
目標となる階調特性を示す階調補正テーブルと、双方向出力方式で出力する前記インクジェットプリンタの本来の基準特性を示したテーブルであって入力レベルに対する出力レベルの対応関係を示した双方向用基準特性テーブルと、片方向出力方式で出力する前記インクジェットプリンタの本来の基準特性を示したテーブルであって入力レベルに対する出力レベルの対応関係を示した片方向用基準特性テーブルと、を前記インクジェットプリンタで用いるそれぞれの色について記録し、
テストパターンデータに基づき前記インクジェットプリンタによって双方向出力方式で出力したテストパターン画像を測定し得られた双方向測定データを入力し、前記双方向用基準特性テーブル、前記双方向測定データ及び前記階調補正テーブルに基づき、双方向出力方式で出力する前記インクジェットプリンタに対して画像データを出力するために補正を行う時に用いる双方向用補正テーブルを作成する工程と、
テストパターンデータに基づき前記インクジェットプリンタによって片方向出力方式で出力したテストパターン画像を測定し得られた片方向測定データを入力し、前記片方向用基準特性テーブル、前記片方向測定データ及び前記階調補正テーブルに基づき、片方向出力方式で出力する前記インクジェットプリンタに対して画像データを出力するために補正を行う時に用いる片方向用補正テーブルを作成する工程と、を前記インクジェットプリンタで用いるそれぞれの色について行うことを特徴とする。
【手続補正５】
【補正対象書類名】明細書
【補正対象項目名】００１３
【補正方法】変更
【補正の内容】
【００１３】
請求項２に記載の発明は、往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する補正テーブル作成方法であって、
目標となる階調特性を示す階調補正テーブルと、往動中のヘッドで出力する前記インクジェットプリンタの本来の基準特性を示したテーブルであって入力レベルに対する出力レベルの対応関係を示した往動用基準特性テーブルと、復動中のヘッドで出力する前記インクジェットプリンタの本来の基準特性を示したテーブルであって入力レベルに対する出力レベルの対応関係を示した復動用基準特性テーブルと、を前記インクジェットプリンタで用いるそれぞれの色について記録し、
テストパターンデータに基づき前記インクジェットプリンタによって片方向往動出力方式で出力したテストパターン画像を測定し得られた往動測定データを入力し、前記往動用基準特性テーブル、前記往動測定データ及び前記階調補正テーブルに基づき、片方向往動出力方式で出力する前記インクジェットプリンタに対して画像データを出力するために補正を行う時に用いる往動用補正テーブルを作成する工程と、
テストパターンデータに基づき前記インクジェットプリンタによって片方向復動出力方式で出力したテストパターン画像を測定し得られた復動測定データを入力し、前記復動用基準特性テーブル、前記復動測定データ及び前記階調補正テーブルに基づき、片方向復動出力方式で出力する前記インクジェットプリンタに対して画像データを出力するために補正を行う時に用いる復動用補正テーブルを作成する工程と、を前記インクジェットプリンタで用いるそれぞれの色について行うことを特徴とする。
【手続補正６】
【補正対象書類名】明細書
【補正対象項目名】００１５
【補正方法】変更
【補正の内容】
【００１５】
請求項３に記載の発明は、往復移動可能なヘッドによる画像出力方式として双方向出力方式又は片方向出力方式の何れかを選択して画像を出力するインクジェットプリンタに対して出力する画像データを生成するための補正処理を行う時に用いる補正テーブルを作成する補正テーブル作成方法であって、
目標となるカラー特性を示すカラー補正テーブルと、双方向出力方式で出力する前記インクジェットプリンタの本来の基準カラー特性を示したテーブルであって入力色レベルに対する出力色レベルの対応関係を示した双方向用基準カラー特性テーブルと、片方向出力方式で出力する前記インクジェットプリンタの本来の基準カラー特性を示したテーブルであって入力色レベルに対する出力色レベルの対応関係を示した片方向用基準カラー特性テーブルと、を記録し、
テストカラーパッチデータに基づき前記インクジェットプリンタによって双方向出力方式で出力したテストカラーパッチ画像を測色し得られた双方向測色データを入力し、前記双方向用基準カラー特性テーブル、前記双方向測色データ及び前記カラー補正テーブルに基づき、双方向出力方式で出力する前記インクジェットプリンタに対して画像データを出力するために補正を行う時に用いる双方向用カラー補正テーブルを作成する工程と、
テストカラーパッチデータに基づき前記インクジェットプリンタによって片方向出力方式で出力したカラーパッチ画像を測色し得られた片方向測色データを入力し、前記片方向用基準カラー特性テーブル、前記片方向測色データ及び前記カラー補正テーブルに基づき、片方向出力方式で出力する前記インクジェットプリンタに対して画像データを出力するために補正を行う時に用いる片方向用カラー補正テーブルを作成する工程と、を行うことを特徴とする。
【手続補正７】
【補正対象書類名】明細書
【補正対象項目名】００１７
【補正方法】変更
【補正の内容】
【００１７】
請求項４に記載の発明は、往復移動可能なヘッドによる片方向画像出力方式として片方向往動出力方式又は片方向復動出力方式の何れかを選択して画像を出力するインクジェットプリンタに対して出力する画像データを生成するための補正処理を行う時に用いる補正テーブルを作成する補正テーブル作成方法であって、
目標となるカラー特性を示すカラー補正テーブルと、片方向往動出力方式で出力する前記インクジェットプリンタの本来の基準カラー特性を示したテーブルであって入力色レベルに対する出力色レベルの対応関係を示した往動用基準カラー特性テーブルと、片方向復動出力方式で出力する前記インクジェットプリンタの本来の基準カラー特性を示したテーブルであって入力色レベルに対する出力色レベルの対応関係を示した復動用基準カラー特性テーブルと、を記録し、
テストカラーパッチデータに基づき前記インクジェットプリンタによって片方向往動出力方式で出力したカラーパッチ画像を測色し得られた往動測色データを入力し、前記往動用基準カラー特性テーブル、前記往動測色データ及び前記カラー補正テーブルに基づき、片方向往動出力方式で出力する前記インクジェットプリンタに対して画像データを出力するために補正を行う時に用いる往動用カラー補正テーブルを作成する工程と、
テストカラーパッチデータに基づき前記インクジェットプリンタによって片方向復動出力方式で出力したカラーパッチ画像を測色し得られた復動測色データを入力し、前記復動用基準カラー特性テーブル、前記復動測色データ及び前記カラー補正テーブルに基づき、片方向復動出力方式で出力する前記インクジェットプリンタに対して画像データを出力するために補正を行う時に用いる復動用カラー補正テーブルを作成する工程と、を行うことを特徴とする。
【手続補正８】
【補正対象書類名】明細書
【補正対象項目名】００１８
【補正方法】変更
【補正の内容】
【００１８】
請求項４に記載の発明では、往動用カラー補正テーブルを作成するとともに、更に復動用カラー補正テーブルを作成している。そして、画像データを往動用カラー補正テーブルに基づいて補正し、補正した画像データに基づきインクジェットプリンタによって片方向往動出力方式で画像を記録媒体に出力した場合でも、画像データを復動用カラー補正テーブルに基づいて補正し、補正した画像データに基づきインクジェットプリンタによって片方向復動出力方式で画像を記録媒体に出力した場合でも、出力画像の色再現性を同じようにすることができる。
請求項５に記載の発明は、往復移動可能なヘッドによる画像出力方式として双方向出力方式又は片方向出力方式の何れかを選択して画像を出力するインクジェットプリンタに対して出力する画像データを生成するための補正処理を行う補正処理装置であって、該補正処理装置は、請求項１又は請求項３の何れかに記載の補正テーブル作成方法により作成された補正テーブルを記録し、該記録された補正テーブルに基づいて補正処理を行うことを特徴とする。
請求項６に記載の発明は、往復移動可能なヘッドによる画像出力方式として双方向出力方式又は片方向出力方式の何れかを選択して画像を出力するインクジェットプリンタであって、該インクジェットプリンタは請求項５に記載の補正処理装置を備えることを特徴とする。
請求項７に記載の発明は、往復移動可能なヘッドによる片方向画像出力方式として片方向往動出力方式又は片方向復動出力方式の何れかを選択して画像を出力するインクジェットプリンタに対して出力する画像データを生成するための補正処理を行う補正処理装置であって、該補正処理装置は、請求項２又は請求項４の何れかに記載の補正テーブル作成方法により作成された補正テーブルを記録し、該記録された補正テーブルに基づいて補正処理を行うことを特徴とする。
請求項８に記載の発明は、往復移動可能なヘッドによる片方向画像出力方式として片方向往動出力方式又は片方向復動出力方式の何れかを選択して画像を出力するインクジェットプリンタであって、該インクジェットプリンタは請求項７に記載の補正処理装置を備えることを特徴とする。
【手続補正９】
【補正対象書類名】明細書
【補正対象項目名】００２０
【補正方法】変更
【補正の内容】
【００２０】
〔第一の実施の形態〕
図１は、本発明を適用した補正テーブル作成方法に用いられるインクジェットプリンタ１を示した斜視図である。
図１に示すように、インクジェットプリンタ１は、搬送ローラ３ａ，３ｂ及び搬送ローラ３ａ，３ｂを駆動する搬送モータ（図示略）等を有するとともにウェブ状の記録媒体９９を搬送方向Ａ下流へ間欠的に搬送する搬送機構と、搬送ローラ３ａ，３ｂの間で記録媒体９９を下から支持するプラテン２と、記録媒体９９の上方において搬送方向Ａに直交する走査方向Ｂに延在した直線状のガイド部材１２と、ガイド部材１２に案内されて走査方向Ｂに往復移動するキャリッジ１１と、キャリッジ１１に搭載されるとともに走査方向Ｂに配列されたヘッド５〜８と、これらヘッド５〜８の走査方向Ｂ両側においてキャリッジ１１に搭載されるとともに下方の記録媒体９９に向けて紫外線を照射する紫外線照射機構９，１０と、装置全体を制御するドライバ回路２０（図２に図示）と、を備える。
【手続補正１０】
【補正対象書類名】明細書
【補正対象項目名】００３１
【補正方法】変更
【補正の内容】
【００３１】
次に、本発明が適用された補正テーブル作成方法について説明する。
上記インクジェットプリンタ１で画像を出力するに先だって画像入力装置、コンピュータといったデバイスが画像データを生成して、生成した画像データをインクジェットプリンタ１のドライバ回路２０に出力するが、本実施形態の補正テーブル作成方法はデバイスが画像データを生成するための補正処理を行う時に用いる補正テーブルを作成するための方法である。
【手続補正１１】
【補正対象書類名】明細書
【補正対象項目名】００３２
【補正方法】変更
【補正の内容】
【００３２】
まず、この補正テーブル作成方法において使用する装置について説明する。
この補正テーブル作成方法において使用する装置は、上述のように構成されたインクジェットプリンタ１及び図２に示された補正処理装置１００である。ここで、図２は、補正処理装置１００及びインクジェットプリンタ１を示したブロック図である。
【手続補正１２】
【補正対象書類名】明細書
【補正対象項目名】００３３
【補正方法】変更
【補正の内容】
【００３３】
補正処理装置１００の構成について説明する。
この補正処理装置１００は、補正処理装置１００全体の制御を司るＣＰＵ１０１と、図３に示すようなＹＭＣＫごとの標準階調補正テーブル、図４に示すようなＹＭＣＫごとの双方向用基準特性テーブル（実線）及び図４に示すようなＹＭＣＫごとの片方向用基準特性テーブル（破線、一点鎖線）を記録したＲＯＭ１０２と、作業領域として種々のテーブル（種々のテーブルについては後述する。）を格納するＲＡＭ１０３と、インクジェットプリンタ１のドライバ回路２０にデータ出力可能に接続されたＩ／Ｏインターフェース１０５と、Ｉ／Ｏインターフェース１０６と、これらをデータ入出力可能に接続したバス１０７と、Ｉ／Ｏインターフェース１０６にデータ出力可能に接続された測色計１０４と、テストパターンデータを生成するためのテストパターン発生器１０８と、を備える。
【手続補正１３】
【補正対象書類名】明細書
【補正対象項目名】００３８
【補正方法】変更
【補正の内容】
【００３８】
次に、以上のように構成された補正処理装置１００の動作、補正処理装置１００の動作に基づいた補正テーブル作成方法について説明する。
【手続補正１４】
【補正対象書類名】明細書
【補正対象項目名】００６３
【補正方法】変更
【補正の内容】
【００６３】
〔第二の実施の形態〕
上記第一実施形態の補正テーブル作成方法では、双方向用階調補正テーブル、片方向往動用階調補正テーブル及び片方向復動用階調補正テーブルをＹ、Ｍ、Ｃ及びＫのそれぞれについて別個に求めている。一方、第二実施形態の補正テーブル作成方法では、Ｙ、Ｍ、Ｃ及びＫを混色した場合について双方向用カラー補正テーブル、片方向用往動用カラー補正テーブル及び片方向復動用カラー補正テーブルを求める。
【手続補正１５】
【補正対象書類名】明細書
【補正対象項目名】００６４
【補正方法】変更
【補正の内容】
【００６４】
まず、第二実施形態の補正テーブル作成方法において使用する装置について説明する。
この補正テーブル作成方法について使用する装置は、図１に示されたインクジェットプリンタ１及び図２に示された補正処理装置１００である。インクジェットプリンタ１は上記第一実施形態の場合と同様の構成・同様の動作をするものであるので、詳細な説明については省略する。
【手続補正１６】
【補正対象書類名】明細書
【補正対象項目名】００７１
【補正方法】変更
【補正の内容】
【００７１】
次に、補正処理装置１００の動作、補正処理装置１００の動作に基づいた補正テーブル作成方法について説明する。
【手続補正１７】
【補正対象書類名】明細書
【補正対象項目名】００９２
【補正方法】変更
【補正の内容】
【００９２】
なお、本発明は、上記実施の形態に限定されることなく、本発明の趣旨を逸脱しない範囲において、種々の改良並びに設計の変更を行っても良い。
例えば、第一実施形態の補正テーブル作成方法を行った後に第二実施形態の補正テーブル作成方法を行っても良い。また、片方向出力方式の補正テーブルは、何れの実施形態でも往動用と復動用の両方を作成したが、片方だけであっても良い。また、インクジェットプリンタ１に用いるインクの色はプロセスカラーのＹＭＣＫのみならず、他の色を加えても良い。
【手続補正１８】
【補正対象書類名】明細書
【補正対象項目名】図面の簡単な説明
【補正方法】変更
【補正の内容】
【図面の簡単な説明】
【図１】
本実施形態の補正テーブル作成方法に用いられるインクジェットプリンタを示した斜視図である。
【図２】
本実施形態の補正テーブル作成方法に用いられるインクジェットプリンタ及び補正処理装置を示したブロック図である。
【図３】
Ｙ、Ｍ、Ｃ及びＫのそれぞれの標準階調補正テーブルの一例を示した図である。
【図４】
Ｙ、Ｍ、Ｃ及びＫのそれぞれの基準特性テーブルの一例を示した図である。
【図５】
上記インクジェットプリンタで出力したテストパターン画像の一例を示した図である。
【図６】
上記インクジェットプリンタのテスト出力特性の一例を示した図である。
【図７】
上記インクジェットプリンタのテスト出力特性と基準特性とを比較して示した図である。
【図８】
双方向用基準特性テーブルの入力レベルとテスト出力特性の入力レベルとの関係を表した修正テーブルの一例を示した図である。
【図９】
補正された新たな階調補正テーブルの一例を示した図である。
【図１０】
標準カラー補正テーブルの一例を示した図である。
【図１１】
基準カラー特性テーブルの一例を示した図である。
【図１２】
上記インクジェットプリンタで出力したテストカラーパッチ画像の一例を示した図である。
【図１３】
上記インクジェットプリンタのテストカラー出力特性の一例を示した図である。
【図１４】
双方向用基準カラー特性テーブルの入力色レベルとテスト出力特性の入力色レベルとの関係を表した修正カラーテーブルの一例を示した図である。
【図１５】
補正された新たなカラー補正テーブルの一例を示した図である。
【符号の説明】
１  …  インクジェットプリンタ
５、６、７、８  …  ヘッド
２０  …  ドライバ回路
１００  …  補正処理装置
１０１  …  ＣＰＵ
１０２  …  ＲＯＭ
１０３  …  ＲＡＭ
１０４  …  測色計
１０８  …  テストパターン発生器